(57)【要約】      （修正有）【課題】完全自蔵式であり、例えば白熱電球の交換のような保守のためにユニットとして容易に取り外せる乳児介護装置用の手技灯を提供する。【解決手段】乳児を乳児置き台２０上に支持するようになっていて、光を乳児置き台上に寝かされている乳児に当てるようになった自蔵式手技灯４４を有する乳児介護装置８自蔵式手技灯は、白熱電球４８、エンクロージャ４６、灯ソケット５０及びディフューザ５４を共通ユニット内に有し、自蔵式手技灯は、乳児置き台の上方に位置し、乳児置き台に向いた下面を備える頭上ハウジング３８に取り付けられる。自蔵式手技灯は、頭上ハウジングの下面から取り出し可能及び戻し可能であり、頭上ハウジングを分解しないで、自蔵式手技灯内の白熱電球を容易に交換できるようになっている。【選択図】図１
2006192283.tif 000002
【特許請求の範囲】
【請求項１】
患者介護装置であって、
患者を置くようになった患者置き台を備えたベースと、
該ベースに取り付けられ、前記患者置き台の上方に配置され、前記患者置き台に向いた下面を備える頭上ハウジングと、
該頭上ハウジング内に取り付けられ、白熱電球を含む自蔵式手技灯とを有し、該自蔵式手技灯が、前記白熱電球への接近を可能にするように前記頭上ハウジングの前記下面を通ってユニットとして取り出し可能である、
患者介護装置。
【請求項２】
前記患者介護装置は、前記頭上ハウジング内に設けられた加熱器を有し、前記加熱器は、熱を前記患者置き台に差し向ける、請求項１記載の患者介護装置。
【請求項３】
前記頭上ハウジングは、前記下面に形成された開口部を有し、前記開口部は、前記自蔵式手技灯が前記開口部を通って前記頭上ハウジング内へ上方に嵌まり込むことができるようにする、請求項２記載の患者介護装置。
【請求項４】
前記自蔵式手技灯は、前記頭上ハウジングの前記下面に形成された前記開口部の内縁部に固定されるようになったフランジを有する、請求項３記載の患者介護装置。
【請求項５】
前記自蔵式手技灯は、ねじ山が形成されたエンクロージャを有する、請求項４記載の患者介護装置。
【請求項６】
前記ハウジングの前記下面の前記開口部は、内縁部を有し、前記エンクロージャは、前記開口部の前記内縁部に螺合する、請求項５記載の患者介護装置。
【請求項７】
前記ハウジングの前記下面は、前記開口部を包囲した状態で形成されたねじ山を有し、前記自蔵式手技灯の前記エンクロージャは、前記開口部を包囲した状態で形成された前記ねじ山に螺合する、請求項５記載の患者介護装置。
【請求項８】
前記自蔵式手技灯は、エンクロージャと、灯ソケットと、白熱電球と、ディフューザとを有する、請求項１記載の患者介護装置。
【請求項９】
患者介護装置の自蔵式手技灯内に設けられた白熱電球を交換する方法であって、
患者を支持するようになった患者置き台及び前記患者置き台の上方に位置する下面を備えた頭上ハウジングを有する患者介護装置を用意し、
前記頭上ハウジング内に取り付けられた白熱電球を有する自蔵式手技灯を用意し、
前記頭上ハウジングの前記下面を通って前記自蔵式手技灯を取り出し、
前記自蔵式手技灯内の前記白熱電球を交換し、
前記自蔵式手技灯を、前記頭上ハウジングの前記下面を通ってその配設場所に戻すことを含む、
方法。
【請求項１０】
前記自蔵式手技灯を取り出す前記工程が、ねじ山付きの前記自蔵式手技灯をねじ戻して前記頭上ハウジングの前記下面から外すことを含み、前記自蔵式手技灯を戻す前記工程が、前記自蔵式手技灯を前記頭上ハウジングの前記下面にねじ止めすることを含む、請求項９記載の方法。
【発明の詳細な説明】
【技術分野】
【０００１】
本発明は、乳児介護装置に関し、特に、完全自蔵式であり、例えば白熱電球の交換のような保守のためにユニットとして容易に取り出せる乳児介護装置用の手技灯に関する。
【背景技術】
【０００２】
新生児の介護にあたり、乳児を暖め、乳児を所定の温度に維持するのに必要な熱を供給するために乳児加温装置が用いられている。乳児加温器は基本構成要素として、乳児が置かれる平らな表面を備えた乳児置き台を有し、この平らな表面は通常、乳児を加温装置の境界内に安全に保つサイドガードを有している。
【０００３】
乳児加温器は、頭上輻射加熱器を更に有し、この頭上輻射加熱器は、乳児の上方に配置され、かくして赤外線スペクトルのエネルギを輻射して乳児に当て、それにより乳児を所望の温度に維持する。乳児加温器では、乳児は他の点においては周囲環境に完全露出されているので、種々の手技をその乳児に施すために付添人又は介護者が乳児に接近する際の制約は殆ど無い。典型的な乳児加温器が、先行技術としてのフォーク等に付与された特許文献１に図示されると共に記載されている。
【０００４】
乳児に対する接近はこのように広く開かれているので、平らな表面に寝かせた状態で乳児に対して行われる何らかのインターベンション又は手技がある場合、乳児加温器が用いられる。かかる手技のうち全てではないにせよ幾つかはデリケートなので、通常、乳児のための或る照明源を設けて付添人が特定の手技を行う際に乳児を見守るのに十分な明かりを有することができるようにすることが必要である。
【０００５】
【特許文献１】米国特許第５，４７４，５１７号明細書
【発明の開示】
【発明が解決しようとする課題】
【０００６】
しかしながら、かかる手技灯を用いた場合の問題又は欠点のうちの１つは、中断無く乳児介護装置の連続使用を確保するためには白熱電球を定期的に交換しなければならないという点で、手技灯に対して実施する必要のある通常の保守点検が存在するということである。現時点において、手技灯のうち多くは、頭上加熱器ハウジング内に組み込まれ、例えば、白熱電球の交換のために灯の構成部品を取り外すことは、極めて労力を要し、白熱電球への接近を得るためには加熱器ハウジングの面倒な分解を必要とする。
【０００７】
多くの場合、白熱電球は、加熱器ハウジングの上方領域を通って交換され、資格を持った技術者が、手順を行わなければならない。というのは、これには、白熱電球に接近するよう加熱器ハウジングの上述の分解及び当然のことながら白熱電球の交換後には手技灯及び頭上加熱器ハウジングの再組立てが必要だからである。明らかなこととして、乳児介護装置の稼働停止時間は、望ましくない。というのは、機材が常時使用されている場合があり、従って、白熱電球が交換されている間、乳児介護装置のうちの何らかの部分が使用されていない時間は、健康管理施設にとって都合が悪い。
【０００８】
かくして、比較的簡単な手段により取付けハウジングの下面を通ってユニットとして頭上加熱器ハウジングから取り出すことができる手技灯を提供し、手技灯内の白熱電球の交換を乳児介護装置を最小限の停止時間で容易に行えるようにすることが有利である。
【課題を解決するための手段】
【０００９】
本発明は、光を乳児に当てるようになった手技灯を有する乳児介護装置、例えば乳児加温器であって、手技灯が、交換可能な白熱電球を含む自蔵式ユニットであり、自蔵式ユニットが、白熱電球の交換を容易にするために自蔵式手技灯全体を頭上ハウジングから容易に取り出すことができ、そして頭上ハウジング内へ同様に容易に戻すことができるような仕方で乳児介護装置の頭上ハウジング内に組み込まれる乳児介護装置に関する。
かくして、本発明の乳児介護装置では、通常、輻射加熱器の取付けにも用いられる頭上ハウジングは、頭上ハウジングの下面を通って取り出せて元に戻すことができる手技灯を収容し、従って自蔵式手技灯全体に白熱電球の交換のために容易に接近できるようになっている。
【００１０】
一実施形態では、自蔵式手技灯は、頭上ハウジングにその下面を通って取り付けられる共通ユニットとしてエンクロージャ、灯ソケット、白熱電球及びディフューザを有する。  自蔵式手技灯を頭上ハウジングに取り付ける手段は、種々の方法によって行うことができ、かかる方法のうちの１つは、周囲フランジを自蔵式手技灯に設けることである。したがって、頭上ハウジングには適当な開口部が形成されるのがよく、従って自蔵式手技灯をこの開口部を通って上から挿入でき、次に、周囲フランジを例えばねじ等の手段により開口部を包囲した状態で下面に固定するのがよい。
【００１１】
別の実施形態では、自蔵式手技灯のエンクロージャの外部にはねじ山（雄ねじ又は雌ねじ）が形成されるのがよく、従って、自蔵式手技灯を頭上ハウジングの下面に螺合することができ、かくして、自蔵式手技灯の取り出しのためにねじ戻して外し、そして白熱電球の交換後、頭上ハウジングにねじ止めして戻すことができるようになっている。頭上ハウジングにはこれに対応したねじ山を形成するのがよく、或いは、自蔵式手技灯のねじ山は、頭上ハウジングの下面の開口部の所定の形状と単に相互作用するものであってもよく、これらねじ山を開口部の内縁部に直接ねじ止めしてもよい。
【００１２】
本発明の上記特徴及び利点並びに他の特徴及び利点は、添付の図面と関連して行われる以下の詳細な説明を読むと明らかになろう。
【発明を実施するための最良の形態】
【００１３】
今図１を参照すると、本発明に従って構成された乳児加温器８の斜視図が示されている。本発明を具体的に乳児加温器に関して説明するが、本発明は、患者をその患者の治療のために頭上ハウジングの下に支持する他の患者介護装置に同じように利用でき、その頭上ハウジング内には、乳児を照明するために用いられる灯が設けられていることは注目されるべきである。図示のように、乳児加温器８は、乳児加温器８に自立型ユニットを提供するフレーム１０を有している。フレーム１０は、キャビネット１２上に支持され、このキャビネットは、乳児加温器８が容易に動くことができるよう車輪１６を備えたベース１４に取り付けられている。キャビネット１２は、乳児の世話用品を収納する１個以上の引出し１８を更に有するのがよい。
【００１４】
乳児置き台２０が、キャビネット１２の上に取り付けられており、乳児ベッド２２がこの乳児置き台上に設けられ、この乳児置き台は、乳児の下に位置して乳児をこの上に寝かせた状態で支持する。乳児置き台２０は、乳児ベッド２２の主要な支持体である。乳児ベッド２２は、乳児の快適さが得られるよう適当なクッション材料を備えた全体として平らな上面２４を有し、更に、この乳児ベッドは、乳児を上面２４上に収容する全体として透明なプラスチック材料で作られたガード２６によって包囲されるのがよい。通常、ガード２６は、乳児に完全に接近できるよう取外し可能且つ（或いは）解除可能である。
【００１５】
フレーム１０は、１対の垂直支柱３２を互いに接合する上側横方向部材２８及び下側横方向部材３０を有し、この垂直支柱３２は、他の構造的コンポーネント、例えば棚３４の支持手段となっているのがよい。
【００１６】
制御モジュール３６が、上側横方向部材２８に取り付けられているのがよく、この制御モジュールは、有利には垂直支柱３２の中間に位置決めされ、モニタされる種々のパラメータのディスプレイを有すると共に乳児加温装置８の種々の機能の実行のための種々の制御装置を有するのがよい。加うるに、上側横方向部材２８には頭上ハウジング３８が取り付けられており、この頭上ハウジングは、暖かさを乳児に与えるために赤外線エネルギを乳児ベッド２２上に寝ている乳児の方へ差し向ける輻射加熱器４０を収容している。頭上ハウジング３８は、乳児置き台２０及び乳児ベッド２２に向いた下面４２を有している。  また、図１で理解できるように、自蔵式手技灯４４が通常、頭上ハウジング３８内に設けられており、それにより、頭上ハウジング３８の下面４２を通して取り出したり元に戻すことができるよう自蔵式手技灯４４への接近が可能になっている。
【００１７】
次に、図１と併せて図２を参照すると、本発明の一実施形態の概略側面図が示されており、この側面図は、本発明に従って使用可能な自蔵式手技灯４４を示している。したがって、理解できるように、自蔵式手技灯４４は、白熱電球４８を収納したエンクロージャ４６を有し、この白熱電球４８は、電力をこの白熱電球４８に供給するためにソケット５０にプラグ接続される。
【００１８】
リテーナ５２によって白熱電球４８をエンクロージャ４６内のその定位置に保持するのがよく、ディフューザ５４が、エンクロージャ４６の開口端を覆って白熱電球４８から出る光の全てがディフューザ５４を通って光が乳児置き台２０の方へ進むにつれて光が拡散するようになっている。また、周囲取付けフランジ５６が、エンクロージャ４６の開口端のところに設けられており、この取付けフランジ５６は、例えばねじ、クリップ又は他の幾つかの迅速連結器具（図示せず）のような手段により自蔵式手技灯４４を頭上ハウジング３８の下面４２に取り付けるために用いられる。
【００１９】
かくして、今や理解できるように、自蔵式手技灯４４は、頭上ハウジング３８に形成された開口部内に上向きに嵌め込むことが可能であり、取付けフランジ５６を頭上ハウジング３８の下面４２のその開口部の内縁部に取り付けれるだけでよく、従って、自蔵式手技灯４４をねじ又はこれと同様な器具の簡単な取外し及び戻しにより頭上ハウジング３８から容易に取り出したりこの中に戻すことができるようになっている。かくして、自蔵式手技灯４４は下面４２を通って頭上ハウジング３８から取り出せるので、白熱電球４８を交換するためにこの手技灯４４を容易に取り出すことができ、次に同様に容易に元に戻すことができ、頭上ハウジング３８のそれ以上の分解は不要である。当然のことながら、自蔵式手技灯４４が白熱電球の容易な交換のために垂下できるよう配線を余分に自蔵式手技灯４４に取り付けることができ、或いは、自蔵式手技灯４４をそれ自体、頭上ハウジング３８内に固定されたソケットに取外し可能にプラグ接続できる。
【００２０】
次に、図１と併せて図３を参照すると、変形実施形態の略図が示されており、この場合、構成要素は、図２に示すものと同一であり、同一の参照符号が用いられているが、図３の実施形態では、ねじ山５８がエンクロージャ４６の外部に形成されて自蔵式手技灯４４を頭上ハウジング３８の下面４２に上方にねじ止めしたりこれからねじ戻すことができるようになっている。理解できるように、ねじ山５８は、雄ねじ又は雌ねじであってよく、かかるねじ山は、頭上ハウジング３８の下面４２の開口部と嵌合し又は頭上ハウジング３８に形成された対応のねじ山（図示せず）と螺合するのがよい。
【００２１】
したがって、この実施形態では、自蔵式手技灯４４のエンクロージャ４６をねじ戻して頭上ハウジング３８の下面４２のその定位置から外すだけでよく、それにより自蔵式手技灯４４を白熱電球４８の取外しのために頭上ハウジング３８から容易に取り出すことができ、そして白熱電球４８をいったん交換すると、次に、エンクロージャ４６を容易に頭上ハウジング３８の下面４２にねじ止めして戻すことができ、それにより乳児加温装置８を健康管理施設におけるその供用状態に戻すことができる。
【００２２】
当業者であれば、本発明の乳児介護装置に関して施すことができ、結果的に乳児介護装置内への手技灯の取付け方を改良する多くの改造及び設計変更を容易に認識でき、これらは全て、特許請求の範囲に記載された本発明の範囲及び精神に属する。したがって、本発明の範囲は、特許請求の範囲の記載及びその均等範囲にのみ基づいて定められる。
【図面の簡単な説明】
【００２３】
【図１】本発明に従って使用できる手技灯を有する乳児加温装置の斜視図である。
【図２】本発明の一実施形態の概略側面図である。
【図３】本発明の変形実施形態の概略側面図である。
【符号の説明】
【００２４】
８  乳児加温器
１０  フレーム
１２  キャビネット
１４  ベース
１６  車輪
１８  引出し
２０  乳児置き台
２４  上面
２６  ガード
３２  支柱
３４  棚
３６  制御モジュール
４４  自蔵式手技灯
４６  エンクロージャ
４８  白熱電球
５０  ソケット
５２  リテーナ
５４  ディフューザ
５６  フランジ
【図１】
2006192283.tif 000003
【図２】
2006192283.tif 000004
【図３】
2006192283.tif 000005
【外国語明細書】
2006192283.tif 000006
2006192283.tif 000007
2006192283.tif 000008
2006192283.tif 000009
2006192283.tif 000010
2006192283.tif 000011
2006192283.tif 000012
2006192283.tif 000013
2006192283.tif 000014
2006192283.tif 000015
2006192283.tif 000016
2006192283.tif 000017